(57)【要約】【課題】ユーザが被洗浄物の円滑な洗浄を行え、ユーザの利便性が向上し得る超音波洗浄装置を提供する。【解決手段】超音波洗浄装置１は、超音波を発生させる超音波発生体１１０を含む超音波洗浄部１００と、設置場所に設置され、超音波洗浄部１００を保持する本体部２００と、本体部２００における超音波発生体１１０の下方位置に設けられ、被洗浄物が浸されるための水が溜められる貯水凹部５００と、本体部２００に着脱可能に設けられ、貯水凹部５００に供給される水が入れられる給水タンク３００と、を備える。【選択図】図１
2019010618.tif 000002
【特許請求の範囲】
【請求項１】
超音波を発生させる超音波発生体を含む超音波洗浄部と、
設置場所に設置され、前記超音波洗浄部を保持する本体部と、
前記本体部における前記超音波発生体の下方位置に設けられ、被洗浄物が浸されるための水が溜められる貯水凹部と、
前記本体部に着脱可能に設けられ、前記貯水凹部に供給される水が入れられる給水タンクと、
を備えることを特徴とする超音波洗浄装置。
【請求項２】
請求項１に記載の超音波洗浄装置において、
前記貯水凹部に設けられた排水口と、
前記排水口を開閉させるための排水弁機構と、
前記排水口から排出された水が溜められる排水容器と、をさらに備え、
前記給水タンクは、前記貯水凹部へ供給される水の放出口を含み、前記貯水凹部へ給水を行う際には前記放出口が下を向く状態で前記本体部に装着され、
前記排水弁機構は、
前記排水口を閉塞する排水弁と、
前記排水弁に連結され、前記給水タンクが前記放出口が上を向く状態で前記本体部に装着されたときに前記給水タンクに押されて作動し、前記排水口が開放される方向へ前記排水弁を移動させる作動部材と、を含む、
ことを特徴とする超音波洗浄装置。
【請求項３】
請求項２に記載の超音波洗浄装置において、
前記排水容器は、前記本体部に離脱可能に装着される、
ことを特徴とする超音波洗浄装置。
【発明の詳細な説明】
【技術分野】
【０００１】
本発明は、超音波洗浄装置に関する。
【背景技術】
【０００２】
振動ホーンを含む超音波発生手段を内蔵する洗浄装置本体と、水が溜められる水溜め部を有し、被洗浄物を受けるトレイと、を備える超音波洗浄装置が、特許文献１に記載されている。
【０００３】
特許文献１の超音波洗浄装置では、ユーザが、被洗浄物の汚れ箇所に振動ホーンの先端を接触させた状態で、被洗浄物を水溜め部に溜められた水の中に沈み込ませる。超音波発生手段が動作すると、振動ホーンから放出された超音波エネルギが水を介して被洗浄物に伝わり、被洗浄物に付着していた汚れ成分が被洗浄物から分離される。
【先行技術文献】
【特許文献】
【０００４】
【特許文献１】特開２００４−２１６２４４号公報
【発明の概要】
【発明が解決しようとする課題】
【０００５】
上記の超音波洗浄装置では、洗浄装置本体とトレイとが別個独立した状態にあり、ユーザは、一方の手で洗浄装置本体を保持し、他方の手で被洗浄物を保持しなければならない。このため、片手による保持だけでは、汚れの箇所に応じて被洗浄物を動かしづらい場合が生じ得る。また、トレイは、テーブルなどの設置場所に置かれるだけであり、被洗浄物を移動させたときに被洗浄物とともにトレイが動きやすく、トレイが傾いて水漏れが生じる虞がある。
【０００６】
よって、ユーザが超音波洗浄装置を利用した被洗浄物の円滑な洗浄を行いづらくなることが懸念される。
【０００７】
本発明は、かかる課題に鑑みてなされたものであり、ユーザが被洗浄物の円滑な洗浄を行え、ユーザの利便性が向上し得る超音波洗浄装置を提供することを目的とする。
【課題を解決するための手段】
【０００８】
本発明の主たる態様に係る超音波洗浄装置は、超音波を発生させる超音波発生体を含む超音波洗浄部と、設置場所に設置され、前記超音波洗浄部を保持する本体部と、前記本体部における前記超音波発生体の下方位置に設けられ、被洗浄物が浸されるための水が溜められる貯水凹部と、前記本体部に着脱可能に設けられ、前記貯水凹部に供給される水が入れられる給水タンクと、を備える。
【０００９】
上記の構成によれば、超音波洗浄部が本体部に保持されているので、ユーザは、被洗浄物を両手で持つことができる。これにより、ユーザは、被洗浄物を円滑に移動させることができる。また、貯水凹部が本体部に設けられているので、被洗浄物を移動させたときに被洗浄物とともに貯水凹部が動いてしまいにくく、貯水凹部から水がこぼれてしまうということが起こりにくい。さらに、給水タンクから自動的に貯水凹部に水が供給されるので、ユーザは、貯水凹部内の水が減る都度、貯水凹部内に水を補給する作業を行わなくてもよくなる。
【００１０】
本態様に係る超音波洗浄装置において、前記貯水凹部に設けられた排水口と、前記排水口を開閉させるための排水弁機構と、前記排水口から排出された水が溜められる排水容器と、をさらに備えるような構成が採られ得る。この場合、前記給水タンクは、前記貯水凹部へ供給される水の放出口を含み、前記貯水凹部へ給水を行う際には前記放出口が下を向く状態で前記本体部に装着されるような構成とすることができる。そして、前記排水弁機構は、前記排水口を閉塞する排水弁と、前記排水弁に連結され、前記給水タンクが前記放出口が上を向く状態で前記本体部に装着されたときに前記給水タンクに押されて作動し、前記排水口が開放される方向へ前記排水弁を移動させる作動部材と、を含むような構成とすることができる。
【００１１】
上記の構成によれば、給水タンクが給水時とは反対向きで本体部に装着されたときに貯水凹部からの排水が行われる。このため、給水タンクから貯水凹部へ給水がなされない状態された後に、貯水凹部からの排水を行うことができ、給水と排水とが同時になされることが防止される。
【００１２】
上記の構成とされた場合、さらに、前記排水容器は、前記本体部に離脱可能に装着され得る。
【００１３】
このような構成とされれば、排水容器を本体部から取り外すことができるので、排水容器内の水の廃棄が容易となる。
【発明の効果】
【００１４】
本発明によれば、ユーザが被洗浄物の円滑な洗浄を行え、ユーザの利便性が向上し得る超音波洗浄装置を提供できる。
【００１５】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１６】
【図１】図１は、実施の形態に係る、超音波洗浄装置の正面図である。
【図２】図２（ａ）は、実施の形態に係る、給水タンクが取り外された状態の超音波洗浄装置の平面図であり、図２（ｂ）は、実施の形態に係る、給水タンクが取り外され、超音波洗浄部および上部外装体が除かれた状態の超音波洗浄装置の平面図である。
【図３】図３は、実施の形態に係る、図２（ａ）のＡ−Ａ´線で切断された超音波洗浄装置の側面断面図である。
【図４】図４は、実施の形態に係る、図２（ａ）のＢ−Ｂ´線で切断された超音波洗浄装置の側面断面図である。
【図５】図５は、実施の形態に係る、超音波発生体の斜視図である。
【図６】図６は、実施の形態に係る、給水タンクの縦断面図である。
【図７】図７は、実施の形態に係る、放出口が下を向く状態で給水タンクが本体部に装着された状態の超音波洗浄装置の正面断面図である。
【図８】図８は、本実施の形態に係る、放出口が上を向く状態で給水タンクが本体部に装着された状態の超音波洗浄装置の正面断面図である。
【図９】図９（ａ）ないし（ｃ）は、実施の形態に係る、超音波洗浄装置による被洗浄物の汚れの除去について説明するための図である。
【発明を実施するための形態】
【００１７】
以下、本発明の実施の形態について、図面を参照して説明する。
【００１８】
図１は、本実施の形態に係る、超音波洗浄装置１の正面図である。図２（ａ）は、本実施の形態に係る、給水タンク３００が取り外された状態の超音波洗浄装置１の平面図であり、図２（ｂ）は、本実施の形態に係る、給水タンク３００が取り外され、超音波洗浄部１００および上部外装体２２０が除かれた状態の超音波洗浄装置１の平面図である。図３は、本実施の形態に係る、図２（ａ）のＡ−Ａ´線で切断された超音波洗浄装置１の側面断面図である。図４は、本実施の形態に係る、図２（ａ）のＢ−Ｂ´線で切断された超音波洗浄装置１の側面断面図である。図５は、本実施の形態に係る、超音波発生体１１０の斜視図である。
【００１９】
超音波洗浄装置１は、主に、ワイシャツの袖や襟口の部分に付着した皮脂汚れ、作業着に付着した油汚れなど、被洗浄物に部分的に付着した汚れを、全自動洗濯機やドラム式洗濯機での洗濯に先立って除去するために用いることができる。超音波洗浄装置１は、いわゆる据え置きタイプであり、テーブル、作業台、ドラム式洗濯機の天面など、種々の設置場所に据え付けられ得る。
【００２０】
超音波洗浄装置１は、超音波洗浄部１００と、本体部２００と、給水タンク３００と、排水容器４００と、を備える。超音波洗浄部１００は、超音波を発生させる超音波発生体１１０を有する。本体部２００は、設置場所に設置され、超音波洗浄部１００を保持する。本体部２００は、超音波発生体１１０の下方位置に、被洗浄物が浸されるための水が溜められる貯水凹部５００を有する。給水タンク３００は、本体部２００に着脱可能に設けられる。給水タンク３００には、貯水凹部５００に供給される水が入れられる。排水容器４００には、貯水凹部５００から排出された水が溜められる。
【００２１】
超音波洗浄部１００は、超音波発生体１１０と、ホルダー１２０と、ハウジング１３０と、を備える。図５に示すように、超音波発生体１１０は、超音波振動子１１１と、超音波振動子１１１に結合される振動ホーン１１２とを含む。振動ホーン１１２は、導電性を有する金属材料で形成され、先端側に向かうにつれて徐々に細くなる形状を有する。振動ホーン１１２の先端面１１２ａの形状は、細長い長方形状となる。超音波発生体１１０は、振動ホーン１１２の先端から超音波を発生させる。
【００２２】
ホルダー１２０は、超音波発生体１１０を保持する。ハウジング１３０は、たとえば樹脂材料により形成され、前後方向に長く、その先端部１３０ａが下方に突出するようなアーム形状を有する。ハウジング１３０の先端部１３０ａは、先細りとなるように形成され、その先端面に開口部１３１が形成される。ハウジング１３０内には、取付部１３２が設けられる。
【００２３】
超音波発生体１１０は、ハウジング１３０内に収容され、ホルダー１２０を介して取付部１３２に取り付けられる。ハウジング１３０の開口部１３１から振動ホーン１１２の先端部が下方へ突出する。
【００２４】
本体部２００は、下部外装体２１０および上部外装体２２０を備える。下部外装体２１０は、たとえば樹脂材料により形成され、前後に長く左右に短く上下に薄い直方体の箱状を有する。
【００２５】
下部外装体２１０の上面には貯水凹部５００が形成される。貯水凹部５００は、四角形状の浸漬槽５１０と、浸漬槽５１０の後方に位置する四角形状の給水槽５２０と、前後に延びる溝状を有し、浸漬槽５１０と給水槽５２０とに繋がる給水路５３０とに分かれている。浸漬槽５１０は、ハウジング１３０に収容された超音波発生体１１０の真下に位置する。給水槽５２０は浸漬槽５１０よりも深くされ、給水路５３０の底面は浸漬槽５１０から給水槽５２０に向かって下り傾斜する。
【００２６】
給水槽５２０の底面には、給水路５３０の真後ろの位置に排水口５２１が形成される。排水口５２１の中央部には孔部５２２ａを有するボス５２２が設けられる。ボス５２２の両側は、２つの連結リブ５２３により排水口５２１の周縁部と連結される。さらに、給水槽５２０の底面には、排水口５２１の右隣りに、所定の間隔を置いて、上方に突出する円柱状の突起部５２４が形成される。
【００２７】
貯水凹部５００には、排水口５２１を開閉するために排水弁機構５４０が設けられる。排水弁機構５４０は、排水弁５４１と、排水ピン５４２と、コイルバネ５４３とを含む。排水ピン５４２は、本発明の作動部材に相当する。
【００２８】
排水弁５４１は、ゴム等の弾性材料で形成される。排水ピン５４２は、金属材料や樹脂材料により形成され、上下移動可能にボス５２２の孔部５２２ａに通される。排水ピン５４２の下端部に排水弁５４１が取り付けられる。排水ピン５４２の上端部は、他の部位より外径が大きくされてフランジ部５４２ａを構成し、このフランジ部５４２ａとボス５２２との間にコイルバネ５４３が配置される。コイルバネ５４３は圧縮された状態にあり、排水ピン５４２がコイルバネ５４３により上方に押され、排水弁５４１が排水口５２１を下方から閉塞する。排水ピン５４２は、給水槽５２０の上面、即ち下部外装体２１０の上面よりも上方に突出する。
【００２９】
下部外装体２１０の内部に排水容器４００が配置される。排水容器４００は、たとえば樹脂材料により形成され、前後に長く左右に短く上下に薄い直方体状を有し、上面が開口する。排水容器４００は、下部外装体２１０の前面に設けられた出入口２１１を通じて、下部外装体２１０の内部に出し入れされる。排水容器４００の前面には、排水容器４００の出し入れの際に持たれる取っ手４０１が設けられる。
【００３０】
上部外装体２２０は、下部外装体２１０の上面後部に固定される。上部外装体２２０は、たとえば樹脂材料により形成され、左右に長く上下に短く前後に薄い、下面が開口する直方体の箱状を有する。上部外装体２２０は、貯水凹部５００の給水槽５２０を上方から覆う。
【００３１】
上部外装体２２０の前面の中央部に、超音波洗浄部１００のハウジング１３０の後端部が固定される。これにより、超音波洗浄部１００が、上部外装体２２０、即ち本体部２００に保持される。
【００３２】
上部外装体２２０の天面には、給水タンク３００が通される円形状の上開口部２２１が形成される。また、上部外装体２２０の内部には、タンク保持板２２２が設けられ、このタンク保持板２２２に給水タンク３００が通される円形状の下開口部２２３が形成される。上開口部２２１および下開口部２２３は、給水槽５２０の突起部５２４の中心と同心となる。さらに、上部外装体２２０の内部には、下部外装体２１０の上面の位置に、給水タンク３００を受けるタンク受け部材２２４が設けられる。タンク受け部材２２４は、突起部５２４の中心と同心となる円形状の受け口部２２５を有する。
【００３３】
図６は、本実施の形態に係る、給水タンク３００の縦断面図である。
【００３４】
給水タンク３００は、タンク本体３１０と、キャップ３２０とを含む。タンク本体３１０およびキャップ３２０は、たとえば樹脂材料により形成される。キャップ３２０には、給水弁機構３３０が備えられる。
【００３５】
タンク本体３１０は、上端面３１０ａおよび下端面３１０ｂが閉じた円筒状の透明な容器である。タンク本体３１０の下端面３１０ｂの中央には、水の出入口３１１が形成され、出入口３１１の周囲に、下方に突出するように円筒状の接続口部３１２が設けられる。タンク本体３１０の外径は、上部外装体２２０の上開口部２２１および下開口部２２３の内径とほぼ等しくされる。
【００３６】
キャップ３２０は、ネジ方式により接続口部３１２に取り付けられ、出入口３１１を覆う。キャップ３２０は、その中間部に出入口３１１を塞ぐ閉塞壁部３２１を有し、この閉塞壁部３２１と接続口部３１２の間に水封用のパッキン３４０が挟まれる。閉塞壁部３２１には、流出口３２２が形成される。流出口３２２の中央部には孔部３２３ａを有するボス３２３が設けられる。ボス３２３の両側は、２つのリブ（図示せず）により流出口３２２の周縁部と連結される。キャップ３２０の先端部３２０ａは、キャップ３２０の他の部位よりも外径が小さくされる。キャップ３２０の先端部３２０ａの外径は、タンク受け部材２２４の受け口部２２５の内径とほぼ等しくされる。
【００３７】
給水弁機構３３０は、給水弁３３１と、給水ピン３３２と、コイルバネ３３３とを含む。給水弁３３１は、ゴム等の弾性材料で形成される。給水ピン３３２は、金属材料や樹脂材料により形成され、上下移動可能にボス３２３の孔部３２３ａに通される。給水ピン３３２の上端部に給水弁３３１が取り付けられる。給水ピン３３２の下端部は、他の部位より外径が大きくされてフランジ部３３２ａを構成し、このフランジ部３３２ａとボス３２３との間にコイルバネ３３３が配置される。コイルバネ３３３は圧縮された状態にあり、給水ピン３３２がコイルバネ３３３により下方に押され、給水弁３３１が流出口３２２を閉塞する。
【００３８】
給水ピン３３２が下方から押され、コイルバネ３３３の押圧力に抗して上方に移動すると、給水弁３３１が流出口３２２から離れ、流出口３２２が開放される。これにより、タンク本体３１０内、即ち給水タンク３００内から水が放出される。給水ピン３３２の下方からの押圧が解除されると、給水ピン３３２が下方に移動し、給水弁３３１により流出口３２２が閉鎖される。これにより、給水タンク３００内からの水の放出が停止される。なお、給水タンク３００に水を補給するときには、キャップ３２０が外され、出入口３１１からタンク本体３１０内に水が注がれる。
【００３９】
キャップ３２０の出口は、給水タンク３００における最終的な水の放出口３０１となる。キャップ３２０の外径はタンク本体３１０の外径よりも小さく、給水タンク３００は、全体として、放出口３０１の近傍部分が内側に絞られた有底円筒状の容器の形状を有することになる。
【００４０】
洗浄運転が行われていないときであって貯水凹部５００に水が溜められていないとき、図３および図４に示すように、超音波洗浄装置１は、給水タンク３００が本体部２００から取り外された状態にある。
【００４１】
図７は、本実施の形態に係る、放出口３０１が下を向く状態で給水タンク３００が本体部２００に装着された状態の超音波洗浄装置１の正面断面図である。図８は、本実施の形態に係る、放出口３０１が上を向く状態で給水タンク３００が本体部２００に装着された状態の超音波洗浄装置１の正面断面図である。
【００４２】
ユーザは、洗浄運転を開始する場合、貯水凹部５００へ給水を行うため、給水タンク３００を、放出口３０１が下を向く状態で上部外装体２２０、即ち本体部２００に装着する。図７に示すように、給水タンク３００は、タンク本体３１０が上部外装体２２０の上開口部２２１と下開口部２２３を通され、キャップ３２０がタンク受け部材２２４によって受けられる。これにより、給水タンク３００は、上部外装体２２０の内部において、給水可能な位置にセットされた状態となる。
【００４３】
キャップ３２０の先端部３２０ａが受け口部２２５を通されて給水槽５２０内に進入し、給水タンク３００の放出口３０１が給水槽５２０内に挿入された状態となる。また、給水タンク３００の給水ピン３３２が給水槽５２０の突起部５２４に衝突して押し上げられる。これにより、給水弁３３１が開放し、給水タンク３００内の水が放出口３０１から放出される。放出された水は、給水槽５２０で受けられ、給水路５３０を通じて浸漬槽５１０に送られる。浸漬槽５１０内に水が溜まると、浸漬槽５１０内の水位とともに給水槽５２０内の水位が上昇する。図７の一点鎖線のように、給水槽５２０内の水位が給水タンク３００の放出口３０１の高さまで上昇し、放出口３０１が水で塞がれると、給水タンク３００内の空気圧と外部の空気圧との釣り合いにより、給水弁３３１が開放された状態のままで、給水タンク３００からの給水が停止する。
【００４４】
なお、上方から見て、排水ピン５４２は、タンク本体３１０の内側ではあるがキャップ３２０の外側に位置する。また、排水ピン５４２の上端部の位置は、タンク本体３１０の下端面３１０ｂの位置よりも低い。このため、給水タンク３００は排水ピン５４２に接触せず、排水弁５４１は排水口５２１を閉塞したままとなる。
【００４５】
浸漬槽５１０内に水が溜められると、ユーザは、被洗浄物の汚れの付着部分、たとえ、ワイシャツの襟の部分を浸漬槽５１０上、即ち、浸漬槽５１０と超音波発生体１１０の振動ホーン１１２との間にセットする。このとき、被洗浄物の汚れ部分には、予め洗剤が塗布されていてもよい。被洗浄物が浸漬槽５１０内に溜められた水で浸され、被洗浄物の内部に浸透した水が表面に浸み出す。被洗浄物の表面には薄い水の層が形成され、この水の層に振動ホーン１１２が接触する状態となる。なお、被洗浄物が吸水することにより、浸漬槽５１０内の水位が下がって給水槽５２０内の水位が下がり、給水タンク３００の放出口３０１が水で塞がれなくなると、放出口３０１が再び水で塞がれるまで、貯水凹部５００内に給水タンク３００から水が補給される。これにより、浸漬槽５１０内の水位、即ち水量が適正な状態に維持される。
【００４６】
ユーザが所定の開始操作を行い、洗浄運転が開始されると、超音波振動子１１１に通電が行われ、超音波発生体１１０が作動する。
【００４７】
図９（ａ）ないし（ｃ）は、本実施の形態に係る、超音波洗浄装置１による被洗浄物の汚れの除去について説明するための図である。
【００４８】
超音波発生体１１０が作動すると、振動ホーン１１２の先端から超音波が発生し、超音波振動が振動ホーン１１２の周りの水を介して被洗浄物内部の水に伝わる。図９（ａ）に示すように、被洗浄物の内部では、超音波振動の作用によって減圧と加圧が交互に生じ、圧力が低くなった部分に真空の空洞が生じる。即ち、被洗浄物の汚れの部分に多数の空洞が存在する状態となる。図９（ｂ）に示すように、空洞の部分の圧力が高まり、この圧力に潰されて空洞が破壊されると、被洗浄物の汚れ部分に衝撃波が生じる。この衝撃波によって被洗浄物から汚れが分離される。図９（ｃ）に示すように、振動ホーン１１２からの超音波振動は、被洗浄物の内部から浸漬槽５１０内への水流を生み出し、この水流によって、被洗浄物から分離された汚れが浸漬槽５１０内に排出される。浸漬槽５１０では、上記の水流により対流が発生するので、被洗浄物から汚れが引き離されやすくなる。このようにして、被洗浄物から汚れが除去される。
【００４９】
ユーザは、被洗浄物の汚れ部分を超音波発生体１１０の位置に持って行くため、被洗浄物を移動させる必要がある。本実施の形態の超音波洗浄装置１では、超音波洗浄部１００が本体部２００に保持されているので、ユーザは、超音波洗浄部１００を手で持たなくてよく、被洗浄物を両手で持つことができる。これにより、ユーザは、片手で持つ場合よりも被洗浄物を円滑に移動させることができる。また、貯水凹部５００が本体部２００に設けられているので、ユーザが被洗浄物を移動させたときに被洗浄物とともに貯水凹部５００が動いてしまう、ということが起こりにくい。
【００５０】
被洗浄物の洗浄が完了すると、ユーザは、所定の停止操作を行う。超音波発生体１１０の動作が停止され、洗浄運転が終了される。その後、ユーザは、給水タンク３００を上方に持ち上げ、本体部２００から取り外す。突起部５２４による給水ピン３３２の押圧が解除され、給水弁３３１が閉じて、給水タンク３００からの水が放出されなくなる。
【００５１】
次に、ユーザは、貯水凹部５００からの排水を行うため、給水タンク３００を、放出口３０１が上を向く状態で上部外装体２２０、即ち本体部２００に装着する。図８に示すように、給水タンク３００は、タンク本体３１０の上端面３１０ａがタンク受け部材２２４によって受けられる。これにより、給水タンク３００は、上部外装体２２０の内部において、排水可能な位置にセットされた状態となる。
【００５２】
給水タンク３００の上端面３１０ａが排水ピン５４２に衝突し、排水ピン５４２がコイルバネ５４３の押圧力に抗して押し下げられる。これにより、排水弁５４１が下方へ移動して排水口５２１から離れ、排水口５２１が開放する。貯水凹部５００内の水が排水口５２１を通じて排出され、排水容器４００内に溜められる。このとき、給水槽５２０の底面が浸漬槽５１０の底面より低く、給水路５３０の底面が浸漬槽５１０から給水槽５２０に向かって下り傾斜しているので、浸漬槽５１０内の水が給水槽５２０内の排水口５２１へ流れていきやすい。これにより、貯水凹部５００からの排水が円滑に行われる。
【００５３】
貯水凹部５００からの排水が完了すると、ユーザは、給水タンク３００を上方に持ち上げ、本体部２００から取り外す。排水容器４００の容量は、貯水凹部５００内の水が複数回分溜められる容量に設定され得る。ユーザは、たとえば、排水容器４００内に満水に近い状態まで水が溜められると、本体部２００から排水容器４００を引き出して排水容器４００を取り外し、排水容器４００内の水を洗面台の排水口等の廃棄可能な場所に捨てる。その後、ユーザは、排水容器４００を本体部２００内に戻す。
【００５４】
＜本実施の形態の効果＞
以上、本実施の形態によれば、超音波洗浄部１００が本体部２００に保持されているので、ユーザは、被洗浄物を両手で持つことができる。これにより、ユーザは、被洗浄物を円滑に移動させることができる。また、貯水凹部５００が本体部２００に設けられているので、被洗浄物を移動させたときに被洗浄物とともに貯水凹部５００が動いてしまいにくく、貯水凹部５００から水がこぼれてしまうということが起こりにくい。さらに、本体部２００に給水タンク３００が備えられ、洗浄運転時には、給水タンク３００から自動的に貯水凹部５００に水が供給されるので、ユーザは、貯水凹部５００内の水が減る都度、貯水凹部５００内に水を補給する作業を行わなくてもよくなる。
【００５５】
このように、本実施の形態によれば、ユーザが、超音波洗浄装置１を用いて被洗浄物の円滑な洗浄を行え、ユーザの利便性の向上が期待できる。
【００５６】
また、本実施の形態によれば、給水タンク３００が、放出口３０１が上を向く状態で本体部２００に装着されたときに、排水ピン５４２が給水タンク３００に押されて作動し、排水口５２１が開放される構成とされており、給水タンク３００が給水時とは反対向きで本体部２００に装着されたときに貯水凹部５００からの排水が行われる。このため、給水タンク３００から貯水凹部５００へ給水がなされない状態とされた後に、貯水凹部５００からの排水を行うことができ、給水と排水とが同時になされることが防止される。
【００５７】
さらに、本実施の形態によれば、排水ピン５４２は、本体部２００の内部に配置されているので、給水タンク３００による給水時に排水ピン５４２が操作されて排水口５２１が開放されてしまう、という事態が生じにくい。
【００５８】
さらに、本実施の形態によれば、排水容器４００を本体部２００から取り外すことができるので、排水容器４００内の水の廃棄が容易となる。
【００５９】
以上、本発明の実施の形態について説明したが、本発明は、上記実施の形態によって何ら制限されるものではなく、また、本発明の実施の形態も、上記以外に種々の変更が可能である。
【００６０】
たとえば、上記実施の形態では、超音波洗浄部１００のハウジング１３０が、本体部２００の上部外装体２２０とは別部材として構成されている。しかしながら、ハウジング１３０が上部外装体２２０と一体形成されてもよい。同様に、下部外装体２１０と上部外装体２２０とが一体形成されてもよい。
【００６１】
また、給水タンク３００から貯水凹部５００へ給水を行うための給水構造は、上記実施の形態のような構成に限られるものではなく、その他の給水構造が採られてもよい。
【００６２】
さらに、上記実施の形態では、貯水凹部５００が、浸漬槽５１０と給水路５３０と給水槽５２０とに分けられた。しかしながら、貯水凹部５００は、たとえば、前後方向に長い楕円形とされるなど、浸漬槽５１０と給水路５３０と給水槽５２０とに明確に分けられない形状とされてもよい。この場合、貯水凹部５００において、上部外装体２２０から露出した、被洗浄物が浸漬される領域が浸漬槽５１０となり、上部外装体２２０内で給水タンク３００が接続される領域が給水槽５２０となり、給水路５３０がなくなる。
【００６３】
さらに、上記実施の形態では、排水容器４００は上面が開放されているが、排水容器４００は、上面が閉塞され、上面における排水口５２１の真下付近の位置に開口部が設けられるような構成が採られてもよい。こうすれば、排水容器４００を取り外すときに、排水容器４００が多少手荒く扱われても、排水容器４００内の水が外部に漏れ出しにくくなる。
【００６４】
この他、本発明の実施の形態は、特許請求の範囲に示された技術的思想の範囲内において、適宜、種々の変更が可能である。
【符号の説明】
【００６５】
１  超音波洗浄装置
１００  超音波洗浄部
１１０  超音波発生体
２００  本体部
３００  給水タンク
３０１  放出口
４００  排水容器
５００  貯水凹部
５２１  排水口
５４０  排水弁機構
５４１  排水弁
５４２  排水ピン（作動部材）
【図１】
2019010618.tif 000003
【図２】
2019010618.tif 000004
【図３】
2019010618.tif 000005
【図４】
2019010618.tif 000006
【図５】
2019010618.tif 000007
【図６】
2019010618.tif 000008
【図７】
2019010618.tif 000009
【図８】
2019010618.tif 000010
【図９】
2019010618.tif 000011